(57)【要約】【課題】磁気遮蔽部材を用いずに複数のセンサ間の磁力干渉を防止する。【解決手段】磁力発生器と該磁力発生器の発生磁力を検出する磁力検出器との組み合わせで構成されるセンサを複数組み搭載した電子機器において、各センサ１６，２０の前記磁力発生器を夫々電磁石で構成すると共に、前記複数組みのセンサ１６，２０のうちの一のセンサを機能させるとき該一のセンサの前記電磁石を励磁し他のセンサの前記電磁石を非励磁状態に保ったまま該一のセンサを機能させる制御手段１０を設ける。これにより、複数のセンサ間の磁気干渉が防止できる。【選択図】  図２
2005003547.tif 000002
【特許請求の範囲】
【請求項１】
磁力発生器と該磁力発生器の発生磁力を検出する磁力検出器との組み合わせで構成されるセンサを複数組み搭載した電子機器において、各センサの前記磁力発生器を夫々電磁石で構成すると共に、前記複数組みのセンサのうちの一のセンサを機能させるとき該一のセンサの前記電磁石を励磁し他のセンサの前記電磁石を非励磁状態に保ったまま該一のセンサを機能させる制御手段を設けたことを特徴とする磁力を用いるセンサを複数搭載した電子機器。
【請求項２】
電磁石と該電磁石の発生磁力を検出する磁力検出器との組み合わせで構成されるセンサを複数組み搭載した電子機器の磁気干渉防止方法であって、前記複数組みのセンサのうちの一のセンサを機能させるとき他のセンサの前記電磁石の駆動タイミングと異なる駆動タイミングで前記一のセンサの前記電磁石を駆動することを特徴とする磁力を用いるセンサを複数搭載した電子機器の磁気干渉防止方法。
【発明の詳細な説明】
【０００１】
【発明の属する技術分野】
本発明はデジタルスチルカメラ，デジタルビデオカメラ，携帯電話機等の電子機器に係り、特に、磁力を用いるセンサを複数搭載した電子機器とその磁気干渉防止方法に関する。
【０００２】
【従来の技術】
電子機器には、磁力を用いるセンサを搭載したものがある。例えば、デジタルビデオカメラには、可動式の電子ビューファインダが搭載され、ユーザがデジタルビデオカメラを用いて被写体を撮影する時、ユーザが手動にて電子ビューファインダを任意角度だけ回転させ、見易い位置にできるようにしている。
【０００３】
斯かるデジタルビデオカメラを用いて、例えば自分自身を撮影する場合、レンズ等の光学系が自分自身の方向を向くようにデジタルビデオカメラを手で持ち、電子ビューファインダを１８０度回転させてユーザの方向に表示画面が向くようにする。
【０００４】
この場合、電子ビューファインダの表示画面の上下方向は、１８０度回転させる前に比べて逆転するため、ＣＣＤ等の固体撮像素子によって撮像された画像を表示画面にスルー画像として表示するに際し、スルー画像の上下を逆転させて表示する必要が生じる。このような表示制御をデジタルビデオカメラの制御装置が行うには、電子ビューファインダの回転角度を知らなければならない。
【０００５】
そこで、一般的に、デジタルビデオカメラの可動部にホール素子を取り付け、電子ビューファイルダの固定部に永久磁石を取り付け、ホール素子による磁力検出値を制御装置が取り込んで電子ビューファインダの回転角度位置を演算して求める様にしている。
【０００６】
また、デジタルビデオカメラの光学系には絞りが内蔵され、デジタルビデオカメラの制御装置は、この絞りの絞り量を検出して露光制御を行う。この場合にも、ホール素子と永久磁石の組み合わせが用いられ、制御装置はホール素子の磁力検出値から絞り量を求めるようになっている。
【０００７】
この様に、デジタルビデオカメラには、磁力を用いるセンサが複数搭載されているが、一方のセンサの永久磁石による磁力を、他方のセンサのホール素子が誤検出してしまうと、制御装置はデジタルビデオカメラを正常に制御することができなくなってしまう。そこで、一方のセンサの磁力が他方のセンサに到達しないように、下記特許文献１や特許文献２に記載される様な磁気遮蔽部材が使用される。
【０００８】
【特許文献１】
特開平５―３８１２２号公報
【特許文献２】
特開平５―１９７３４１号公報
【０００９】
【発明が解決しようとする課題】
上述した様に、磁力を用いるセンサを複数搭載する電子機器では、磁気遮蔽部材を電子機器内の各所に配置する必要がある。しかし、電子機器の小型化が進むと、磁気遮蔽部材の設置個所を確保するのが困難になってしまうと共に、鉄等の磁性体で構成される磁気遮蔽部材が電子機器の軽量化を阻害してしまうという問題もある。
【００１０】
例えば、近年普及が著しいデジタルカメラ内蔵型の携帯電話機では、液晶表示部が可動式のものがあり、斯かる小さな電子機器の筐体内に磁気遮蔽部材を配置するのが困難になってきている。同様に、小型化の進展が著しい近年のデジタルスチルカメラやデジタルビデオカメラでも、小さな筐体内部に磁気遮蔽部材を配置するが困難になってきている。このため、磁気遮蔽部材を用いずに、複数のセンサ間の磁力干渉を防止する必要が生じる。
【００１１】
本発明の目的は、磁気遮蔽部材を用いずに複数のセンサ間の磁力干渉を防止することができる電子機器とその磁気干渉防止方法を提供することにある。
【００１２】
【課題を解決するための手段】
上記目的を達成する電子機器は、磁力発生器と該磁力発生器の発生磁力を検出する磁力検出器との組み合わせで構成されるセンサを複数組み搭載した電子機器において、各センサの前記磁力発生器を夫々電磁石で構成すると共に、前記複数組みのセンサのうちの一のセンサを機能させるとき該一のセンサの前記電磁石を励磁し他のセンサの前記電磁石を非励磁状態に保ったまま該一のセンサを機能させる制御手段を設けたことを特徴とする。
【００１３】
この構成により、各センサの磁力発生器による発生磁力の干渉を防止でき、他のセンサの磁力を誤検出することがなくなる。
【００１４】
上記目的を達成する磁気干渉防止方法は、電磁石と該電磁石の発生磁力を検出する磁力検出器との組み合わせで構成されるセンサを複数組み搭載した電子機器の磁気干渉防止方法であって、前記複数組みのセンサのうちの一のセンサを機能させるとき他のセンサの前記電磁石の駆動タイミングと異なる駆動タイミングで前記一のセンサの前記電磁石を駆動することを特徴とする。
【００１５】
この構成により、各センサ間の磁気干渉が防止され、精度の高い磁気検出を行うことが可能となる。
【発明の実施の形態】
以下、本発明の一実施形態について、図面を参照して説明する。
【００１６】
図１は、本発明の一実施形態に係るデジタルビデオカメラの外観図である。尚、この実施形態では、デジタルビデオカメラを例に説明するが、デジタルスチルカメラや携帯電話機等の小型電子機器一般に本発明を適用可能である。
【００１７】
図１に示すデジタルビデオカメラ１には、電子ビューファインダ２が取付腕３によってカメラ本体に取り付けられる。取付腕３は、矢印Ａ方向に開閉可能にカメラ本体に取り付けられ、電子ビューファインダ２をカメラ本体の側面位置（収納位置）から任意角度だけ開くことができる。また、電子ビューファインダ２は、取付腕３に内蔵された図示しない軸部材に連結され、これにより、電子ビューファインダ２は、矢印Ｂ方向に任意角度回動させることができ、表示画面４をユーザ方向に調整することができる。
【００１８】
図１に示すデジタルビデオカメラ１の先端部には、レンズ等の光学系５が設けられ、この光学系５を被写体方向に向け、操作ボタンを操作することで、撮影が開始される。被写体の撮影画像は、デジタルビデオカメラ１に内蔵されたＣＣＤ等の固体撮像素子によって電気信号に変換され、制御装置が画像処理することで、スルー画像が表示画面４に表示される。この撮影時には、光学系５に設けられた絞りによって入射光量が制御される。
【００１９】
図２は、図１に示すデジタルビデオカメラ１の機能ブロック図である。このデジタルビデオカメラは、ＣＰＵやデジタル信号処理装置（ＤＳＰ）等で構成される制御部１０と、この制御部１０に対してユーザの指令を入力する操作部１１と、図１で説明した電子ビューファインダ２と、撮像部１４と、撮影画像データを外部メモリに記録する記録部１５とを備える。
【００２０】
電子ビューファインダ２は、液晶表示デバイス等でなる表示画面４と、電子ビューファインダ２の回転角度位置（図１に示す矢印Ｂ方向の回転角度位置）を検出する位置検出センサ２０とを備える。
【００２１】
図３は、電子ビューファインダ２のカメラ本体への取付構造図である。カメラ本体には、第１の回動軸２１が枢支され、この第１の回動軸２１に直角に第２の回動軸２２が枢支され、この回動軸２２に電子ビューファインダ２の取付枠２ａが連結される。そして、取付枠２ａ内に表示画面４が収納され、第２の回動軸２２が図１に示す取付腕３内に収納される。
【００２２】
取付枠２ａ側を向く第１の回動軸２１の所定位置には、磁力発生装置としての電磁石２３が固設され、固定軸２１側を向く取付枠２ａの所定位置には磁力検出用のホール素子２４が固設される。
【００２３】
本実施形態では、電磁石２３とホール素子２４との組み合わせにより図２に示す位置検出センサ２０が構成される。即ち、制御部１０からの励磁指令によって励磁された電磁石２３の発生磁力を、ホール素子２４が検出し、このホール素子２４の検出信号を制御部１０が取り込むことで、取付枠２ａの回動軸２２周りの回転角度位置が制御部１０によって算出される。
【００２４】
図２に示す撮像部１４は、レンズや絞り等でなる光学系５と、光学系５の背面側に置かれるＣＣＤ等の固体撮像素子１３と、光学系５の絞りの絞り位置を検出する位置検出センサ１６とを備える。
【００２５】
図４は、光学系５に設けられた絞りの分解図である。絞りは第１絞り羽根２５ａと第２絞り羽根２５ｂとで構成される。第１絞り羽根２５ａと第２絞り羽根２５ｂとは、夫々三角形状の開口が、図示しないレンズの光軸Ｃを挟んで対向する様に配置され、駆動アーム２６によって第１絞り羽根２５ａと第２絞り羽根２５ｂとの距離が調整されることで、絞りの開口量が調整される。
【００２６】
斯かる第１絞り羽根２５ａ及び第２絞り羽根２５ｂと駆動アーム２６とが第１ケース２７ａと第２ケース２７ｂとの間に収納され、第２ケース２７ｂに取り付けられた駆動モータ２８によって駆動アーム２６が駆動される様になっている。
【００２７】
駆動モータ２８は、磁力発生装置としての電磁石２８ａでなるロータと、ロータの周りに配置されロータを回転駆動し且つ制動を行う駆動コイル２８ｂと、ロータを収納するヨーク２８ｃと、ロータを軸支するキャップ２８ｄ及び基板２８ｅとでなり、基板２８ｅの外側に、ホール素子２９が搭載されたフレキシブル基板が固定される。
【００２８】
即ち、本実施形態では、図２に示す位置検出センサ１６は、電磁石２８ａでなるロータとホール素子２９とで構成され、ロータの回転位置すなわち駆動アーム２６を介してロータによって駆動制御された絞り位置が、制御部１０により検出される様になっている。
【００２９】
図５は、制御部１０が実行する電子ビューファインダ回転角度位置検出プログラムの処理手順を示すフローチャートである。制御部１０が電子ビューファインダ回転角度位置を検出する場合には、先ず、ステップＳ１で、他の位置検出センサの電磁石がオフ状態（電流が流されず非励磁状態）であるか否かを判定し、他の位置検出センサの電磁石がオン状態（電流が流された励磁状態）のときは、他の位置検出センサの電磁石が全てオフになるまで待機する。この例では、絞り位置の位置検出センサを構成する電磁石２８ａがオフになるのを待機する。
【００３０】
他の位置検出センサを構成する電磁石がオフになったときはステップＳ２に進み、電子ビューファインダ回転角度位置を検出する位置センサの電磁石２３をオンにする。そして、次のステップＳ３で、制御部１０がホール素子２４の検出信号を取り込んで電子ビューファインダ２の回転角度位置を算出し、この算出後に電磁石２３をオフにし、本処理を終了する。
【００３１】
図６は、制御部１０が実行する絞り位置検出プログラムの処理手順を示すフローチャートである。制御部１０が絞り位置を検出する場合には、先ず、ステップＳ１１で、他の位置検出センサの電磁石がオフ状態であるか否かを判定し、他の位置検出センサの電磁石がオン状態のときは、オフになるまで待機する。この例では、電子ビューファインダ回転角度位置の位置検出センサを構成する電磁石２３がオフになるのを待機する。
【００３２】
他の位置検出センサを構成する電磁石がオフになったときはステップＳ１２に進み、絞り位置を検出する位置センサの電磁石２８ａをオンにする。そして、次のステップＳ１３で、制御部１０がホール素子２９の検出信号を取り込んで絞り位置を算出し、この算出後に電磁石２８ａをオフにし、本処理を終了する。
【００３３】
この様に、本実施形態に係るデジタルビデオカメラでは、他の位置検出センサの電磁石がオフになるのを確認してから位置検出を行うため、他の位置検出センサの磁力を誤って検出することがなくなり、高精度な位置検出が可能となる。
【００３４】
尚、上述した実施形態では、２つの位置検出センサを１台のデジタルビデオカメラに搭載した例を説明したが、３つ以上の位置検出センサをこのデジタルビデオカメラに搭載しても同様に磁気干渉を防止して高精度の磁気検出が可能であることはいうまでもない。
【００３５】
【発明の効果】
本発明によれば、磁力を用いるセンサを小さな筐体に複数搭載しても発生磁力の磁気干渉を防止できるため、センサ機能を高精度に維持可能となる。
【図面の簡単な説明】
【図１】本発明の一実施形態に係るデジタルビデオカメラの外観図である。
【図２】図１に示すデジタルビデオカメラの機能ブロック図である。
【図３】図１に示す電子ビューファインダのカメラ本体への取付構造図である。
【図４】図１に示すデジタルビデオカメラの絞りの分解図である。
【図５】図２に示す制御部が実行する電子ビューファインダ回転角度位置検出処理手順を示すフローチャートである。
【図６】図２に示す制御部が実行する絞り位置検出処理手順を示すフローチャートである。
【符号の説明】
１  デジタルビデオカメラ
２  電子ビューファインダ
５  光学系
１０  制御部
１４  撮像部
２５ａ  第１絞り羽根
２５ｂ  第２絞り羽根
１６，２０  位置検出センサ
２３，２８ａ  磁力発生器（電磁石）
２４，２９  磁力検出器（ホール素子）
【図１】
2005003547.tif 000003
【図２】
2005003547.tif 000004
【図３】
2005003547.tif 000005
【図４】
2005003547.tif 000006
【図５】
2005003547.tif 000007
【図６】
2005003547.tif 000008